(57)【要約】【課題】二つ折りにする書式による郵便葉書など郵送書類において、隠蔽ラベルにより隠蔽された部分とされない部分とで生じる厚みの違いによる段差が生じることがなく、郵送する形態として封書扱いにならず、情報量に対する郵送料金の割合が郵便葉書と同等になるように書類に記載された隠蔽すべき情報を隠蔽した上で郵送できるようにする。【解決手段】第１、第２シート表面のうち、第１シート表面は郵送書類の送り先等の表書き面、第２シート表面は公開可能情報面、該第１、第２シート裏面のうち、第１シート裏面は機密情報記入面、第２シート裏面は前記第１シート裏面の機密情報記入面に二つ折りし重ね合わせて隠蔽貼着するためのセパレータが貼着された再接着性粘着剤層面又は低接着性樹脂若しくは脆性樹脂を介した粘着剤層面であり、前記第１シート裏面の機密情報記入面に第２シート裏面を接着して機密情報を隠蔽して郵送可能にした。【選択図】図４
2008006585.tif 000002
【特許請求の範囲】
【請求項１】
隠蔽性の第１シートと第２シートとが折目を介して連設され、該折目にて郵送書類サイズに二つ折り可能なシートであって、該第１、第２シート表面のうち、第１シート表面は郵送書類の送り先等の表書き面、第２シート表面は公開可能情報面であり、該第１、第２シート裏面のうち、第１シート裏面は機密情報記入面であり、第２シート裏面は前記第１シート裏面の機密情報記入面に二つ折りし重ね合わせて隠蔽貼着するためのセパレータが貼着された再接着性粘着剤による粘着剤層面であり、前記第１シート裏面の機密情報記入面に第２シート裏面のセパレータを剥離した前記粘着剤層面を接着し、前記機密情報記入面に記載された機密情報を隠蔽して郵送可能にしたことを特徴とする情報隠蔽用郵送書類。
【請求項２】
隠蔽性の第１シートと第２シートとが折目を介して連設され、該折目にて郵送書類サイズに二つ折り可能なシートであって、該第１、第２シート表面のうち、第１シート表面は郵送書類の送り先等の表書き面、第２シート表面は公開可能情報面であり、該第１、第２シート裏面のうち、第１シート裏面は機密情報記入面であり、第２シート裏面は前記第１シート裏面の機密情報記入面に二つ折りし重ね合わせて隠蔽貼着するためのセパレータが貼着され且つ該第２シート裏面に対して接着性の低い低接着樹脂層又は脆性樹脂層を介して積層形成された粘着剤層面であり、前記第１シート裏面の機密情報記入面に第２シート裏面のセパレータを剥離した前記粘着剤層面を、第２シート裏面から低接着樹脂層を剥離可能且つ再接着不能にして接着し、前記機密情報記入面に記載された機密情報を隠蔽して郵送可能にしたことを特徴とする情報隠蔽用郵送書類。
【請求項３】
前記折目に沿って切り離し用ミシン目が刻切されていることを特徴とする請求項１又は２記載の情報隠蔽用郵送書類。
【請求項４】
前記第２シートが第１シートと同じサイズであることを特徴とする請求項１乃至３のいずれか１項記載の情報隠蔽用郵送書類。
【請求項５】
前記第２シートが第１シートよりも０．３〜１．０倍未満若しくは０．５〜１．０倍未満の狭幅であることを特徴とする請求項１乃至３のいずれか１項記載の情報隠蔽用郵送書類。
【発明の詳細な説明】
【技術分野】
【０００１】
本発明は、郵便葉書など郵送書類において、その表面に表示、記載された個人情報や機密情報を隠蔽、保護するようにした情報隠蔽用郵送書類に関する。
【背景技術】
【０００２】
近年、年金、健保等の保険料、電気料、電話料等の料金の銀行自動口座振込が一般化されるようになり、これに伴い、振込金額等の記載された振込通知を郵便葉書で送付することが行われている。そして、これら個人情報（プライバシー）を保護するための情報隠蔽用の郵便葉書等の各種の郵送書類が普及しており、例えば、個人情報が記載された部分にシークレットラベルと称される隠蔽用のラベルが貼られる郵送書類が普及している。
【０００３】
このような個人情報や機密情報を隠蔽して郵送するための郵送書類の手段における既存の技術としては、例えば特許文献１（実開平６−４９０６０号）に記載するような隠蔽ラベル付き郵便葉書がある。この隠蔽ラベル付き郵便葉書の構成は、隠蔽性を付した紙を主体とする基材と、基材に対して接着性の乏しい透明インキ層と、粘着剤層と、剥離紙とをこの順に積層した隠蔽ラベルと郵便葉書とからなるものであって、これは隠蔽ラベルを、その剥離紙を剥がした後の粘着剤層により、郵便葉書の部分面若しくは全面の個人情報表示部上に貼着して隠蔽できるようにしたものである。
【０００４】
しかしながら、郵便葉書に添付された隠蔽ラベルを郵便葉書面の情報の一部面に貼着して隠蔽した場合には、隠蔽された部分とされない部分とで厚みの違いが生じ、集配の際に隠蔽部分の段差が引っ掛かりとなり、隠蔽ラベルが、郵便葉書面から不本意に剥離してしまう心配がある。
【０００５】
また、個人情報や機密情報を隠蔽して郵送する郵送書類の手段における既存の技術としては、例えば情報を隠蔽するように折目を介して二つ折りにする書式による郵便葉書等の郵送書類を用いて、第三者がその書類の情報を見ることのないように、二つ折りした書類の開放側の重なり合った二枚の端部のうち一方の長目の端部をコの字状に他方の端部に折り重ねて貼り合わせ、偏平筒状書類として封止することにより情報を保護するようにしたものがある。
【０００６】
このような二つ折り書式の郵送書類によれば、情報を保護することはできるものの、郵送する形態としては封書扱いとなるため、郵送する情報量に対する郵送料金の割合が、郵便葉書の場合に比較して高いものとなっていた。
【０００７】
以下に本願の先行技術文献を記載する。
【特許文献１】実開平６−４９０６０号
【発明の開示】
【発明が解決しようとする課題】
【０００８】
本発明は、二つ折りにする書式による郵便葉書など郵送書類において、その表面に表示され、記載された個人情報や機密情報を隠蔽、保護するようにした二つ折りにする書式による情報隠蔽用郵便葉書など情報隠蔽用郵送書類であって、隠蔽ラベルにより隠蔽された部分とされない部分とで生じる厚みの違いによる段差が生じることがなく、郵送する形態として封書扱いにならず、郵送する情報量に対する郵送料金の割合が、郵便葉書と同等になるようにして、書類に記載された隠蔽すべき情報を隠蔽した上で郵送することができる
ようにすることにある。
【課題を解決するための手段】
【０００９】
本発明の請求項１に係る発明は、隠蔽性の第１シートと第２シートとが折目を介して連設され、該折目にて郵送書類サイズに二つ折り可能なシートであって、該第１、第２シート表面のうち、第１シート表面は郵送書類の送り先等の表書き面、第２シート表面は公開可能情報面であり、該第１、第２シート裏面のうち、第１シート裏面は機密情報記入面であり、第２シート裏面は前記第１シート裏面の機密情報記入面に二つ折りし重ね合わせて隠蔽貼着するためのセパレータが貼着された再接着性粘着剤による粘着剤層面であり、前記第１シート裏面の機密情報記入面に第２シート裏面のセパレータを剥離した前記粘着剤層面を再接着可能に接着し、前記機密情報記入面に記載された機密情報を隠蔽して郵送可能にしたことを特徴とする情報隠蔽用郵送書類である。
【００１０】
本発明の請求項２に係る発明は、隠蔽性の第１シートと第２シートとが折目を介して連設され、該折目にて郵送書類サイズに二つ折り可能なシートであって、該第１、第２シート表面のうち、第１シート表面は郵送書類の送り先等の表書き面、第２シート表面は公開可能情報面であり、該第１、第２シート裏面のうち、第１シート裏面は機密情報記入面であり、第２シート裏面は前記第１シート裏面の機密情報記入面に二つ折りし重ね合わせて隠蔽貼着するためのセパレータが貼着され且つ該第２シート裏面に対して接着性の低い低接着樹脂層又は脆性樹脂層を介して積層形成された粘着剤層面であり、前記第１シート裏面の機密情報記入面に第２シート裏面のセパレータを剥離した前記粘着剤層面を、第２シート裏面から低接着樹脂層を介して剥離可能且つ再接着不能に接着し、前記機密情報記入面に記載された機密情報を隠蔽して郵送可能にしたことを特徴とする情報隠蔽用郵送書類である。
【００１１】
本発明の請求項３に係る発明は、上記請求項１又は２に係る情報隠蔽用郵送書類において、前記折目に沿って、切り離し用ミシン目が刻切されていることを特徴とする情報隠蔽用郵送書類である。
【００１２】
本発明の請求項４に係る発明は、上記請求項１乃至３のいずれか１項に係る情報隠蔽用郵送書類において、前記第２シートが、第１シートと同じサイズであることを特徴とする情報隠蔽用郵送書類である。
【００１３】
本発明の請求項５に係る発明は、上記請求項１乃至３のいずれか１項に係る情報隠蔽用郵送書類において、前記第２シートが、第１シートよりも０．３〜１．０倍未満若しくは０．５〜１．０倍未満の狭幅であることを特徴とする情報隠蔽用郵送書類である。
【発明の効果】
【００１４】
本発明の情報隠蔽用郵送書類は、隠蔽性の第１シートと第２シートとが折目を介して連設された郵送書類サイズに二つ折り可能なシートであって、第１シート表面の表書き面には、郵送書類の送り先等を記載でき、第２シート表面には、第三者に見られても良い公開可能な情報を記載でき、前記第１シート裏面には、個人情報、機密情報を記入することができる。
【００１５】
本発明の情報隠蔽用郵送書類によれば、第２シート裏面には、セパレータが貼着された粘着剤層面、又は低接着性樹脂層若しくは脆性樹脂層を介して積層形成したセパレータが貼着された粘着剤層面を備えていて、第１シート裏面の前記機密情報記入面に、該第２シート裏面をセパレータを剥離した粘着剤層面の粘着性により接着することができ、これにより前記第１シート裏面の機密情報記入面に記載された機密情報を、隠蔽性の該第１シートと第２シートとによって挟み込むことにより隠蔽して郵送可能とすることができるもの
である。
【００１６】
また、本発明の情報隠蔽用郵送書類によれば、前記第１シート裏面の前記機密情報記入面に、前記第２シート裏面をセパレータを剥離した低接着性樹脂層若しくは脆性樹脂層を介して積層形成した粘着剤層面の粘着性により接着して、第１シート裏面の機密情報記入面に記載された機密情報を、隠蔽性の該第１シートと第２シートとによって挟み込むことにより隠蔽することにより、前記第２シート裏面から低接着樹脂層を剥離可能且つ再接着不能にして接着することができる。
【００１７】
そのため、前記第１シート裏面の機密情報記入面に記載された機密情報を挟み込み隠蔽した第１シートと第２シートとを一旦剥離した場合には、第１シート裏面に粘着剤層面が接着した状態で、第２シート裏面から前記低接着樹脂層（非粘着性樹脂層）が層間剥離するため、第１シートと第２シートの裏面同士の再接着が不能となり、機密情報の隠蔽喪失を確認することができる。
【発明を実施するための最良の形態】
【００１８】
本発明の情報隠蔽用郵送書類の実施の形態を図面に基づいて以下に詳細に説明すれば、図１の平面図に示すように、情報隠蔽用郵送書類は、隠蔽性の第１シートＡと第２シートＢとが折目Ｅを介して連設されていて、該折目Ｅにて郵送書類サイズに二つ折り可能なシートであり、書類の表面Ｉを示している。折目Ｅには、折目線や点線、破線が表示されていてもいなくてもよく、また、折目Ｅに沿って第１シートＡと第２シートＢとを切り離し可能にミシン目が刻切されていてもよい。
【００１９】
図１に示すように、シート状の前記情報隠蔽用郵送書類の第１シートＡの表面ＡI と第２シートＢの表面ＢI のうち、第１シート表面ＡI は、郵送書類の送り先（受取人）や切手貼着欄等が表示される表書き面であり、第２シート表面ＢIIは、第三者に見られてもよい公開可能な情報表示面である。
【００２０】
また、図２に示すように前記第１シートＡの裏面ＡIIと前記第２シートＢの裏面ＡIIのうち、第１シート裏面ＡIIは、発送人（郵送主）側の個人情報（注文、申請、登録などに必要な情報）等の機密情報が記入される機密情報記入面であり、第２シート裏面ＢIIは、前記第１シート裏面ＡIIの機密情報記入面に該第２シート裏面ＢIIを折目Ｅにて二つ折りし重ね合わせて隠蔽貼着するための再接着性粘着剤による粘着剤層Ｃが形成された面であり、該粘着剤層Ｃ面にはセパレータＤ（易剥離性の離型剤（シリコーン樹脂など）コーティングシート）が貼着されている。再接着性粘着剤の材料や組成は本発明においては特に限定されるものではないが、例えばアクリル系油性型接着剤、あるいはアクリル系エマルジョン型接着剤などがある。
【００２１】
また、図３の平面図は、前記情報隠蔽用郵送書類の裏面ＩＩを示していて、第２シート裏面ＢIIの粘着剤層Ｃから前記セパレータＤを剥離して粘着剤層Ｃを露呈させた状態であり、この粘着剤層Ｃは、第２シート裏面ＢIIの全面に、格子状、市松模様状、ストライプ状、ドット状など適宜な形状にパターン状に塗布形成されていてもよいし、無パターン（ベタ状）に塗布形成されていてもよい。
【００２２】
本発明においては前記第１シートＡと第２シートＢのそれぞれサイズは特に限定されるものではなく、例えば、前記第１シートＡが郵送可能な規定サイズであれば、前記第１シートＡと第２シートＢは同じ幅サイズであってもよいし、また、第２シートＢの幅は第１シートの幅よりも０．３〜１．０倍未満、若しくは０．５〜１．０倍未満の範囲で狭幅であってもよい。
【００２３】
図４（ａ）〜（ｃ）は、本発明の情報隠蔽用郵送書類（例えば郵便葉書）、及びその使用方法を説明する側断面図であり、図４（ａ）に示すように、発送人（郵送主）側の個人情報（注文、申請、登録などに必要な情報）等の機密情報が記入される第１シート裏面ＡIIと同じ裏面側の第２シート裏面ＢIIには、再接着性粘着剤による粘着剤層Ｃが塗布形成され、該粘着剤層Ｃ面にはセパレータＤ（易剥離性の離型剤（シリコーン樹脂など）コーティングシート）が易剥離可能に仮り貼着されている。
【００２４】
図４（ａ）に示す第１シート裏面ＡIIの機密情報記入欄に、所定の個人情報（注文、申請、登録などに必要な情報）等を記入した後、図４（ｂ）に示すように、第２シート裏面ＢIIの粘着剤層Ｃ面からセパレータＤを剥離して、折目Ｅにて情報隠蔽用郵送書類を矢印方向に折り返す。
【００２５】
そして、図４（ｃ）に示すように、この情報隠蔽用郵送書類を二つ折りにして、第１シート裏面ＡIIと第２シート裏面ＢIIとを、第２シート裏面ＢIIに形成されている粘着剤層Ｃにて接着して、郵送可能な規定の郵送書類（郵便葉書）のサイズにする。これにより、前記第１シート裏面ＡIIの機密情報記入面に記載された機密情報を、第１シートＡと第２シートＢとにより挟み込むことにより隠蔽することができる。なお、折目Ｅに沿って切り離しミシン目が刻切されている場合には、そのミシン目にて第１シートＡと第２シートＢとを切り離した後に、両者の裏面ＡIIとＢIIとを粘着剤層Ｃにて接着するようにしてもよい。
【００２６】
図５（ａ）〜（ｄ）は、本発明の情報隠蔽用郵送書類において、第１シートＡと第２シートＢを折目Ｅを介して二つ折りして重ね合わせ接着するために、第２シート裏面ＢIIに形成される粘着剤層Ｃの各種積層構造の例を説明する部分側断面図である。
【００２７】
図５（ａ）は、第１シートＡと第２シートＢが両者の裏面ＡIIとＢIIにて、第２シートＢの裏面ＢIIに塗布形成された再接着性の粘着剤層Ｃ（粘着剤層）により接着されているものであり、第１シートＡから第２シートＢを剥離する際は、第１シートＡと粘着剤層Ｃとの層間での層間剥離又は粘着剤層Ｃの層内での凝集剥離により剥離し、剥離した後は、再度接着が可能なものである。
【００２８】
図５（ｂ）は、第１シートＡと第２シートＢが両者の裏面ＡIIとＢIIにて、第２シートＢの裏面ＢIIに塗布形成された該裏面ＢIIに対して低接着性の低接着性樹脂層Ｃ1 （非粘着性樹脂層、非再接着性樹脂層）と、再接着性の粘着剤層Ｃ2 とによる粘着剤層Ｃにより接着されているものであり、第１シートＡから第２シートＢを剥離する際は、低接着性樹脂層Ｃ1 と第２シートＢの裏面ＢIIとの間での層間剥離により剥離し、剥離した後は、再度接着が不可能なものである。
【００２９】
図５（ｃ）は、第１シートＡと第２シートＢが両者の裏面ＡIIとＢIIにて、第２シートＢの裏面ＢIIに塗布形成された脆弱性樹脂層Ｃ1 （凝集破壊し易い低凝集力樹脂層）と、再接着性の粘着剤層Ｃ2 とによる粘着剤層Ｃにより接着されているものであり、第１シートＡから第２シートＢを剥離する際は、脆弱性樹脂層Ｃ1 の脆弱性による凝集剥離（凝集破壊）により剥離し、剥離した後は、再度接着が不可能なものである。なお、脆弱性樹脂層Ｃ1 に使用する脆性樹脂としては、スクラッチ籤などに使用される油性型又はＵＶ硬化型のスクラッチインキ（脆性インキ）、スクラッチインキ用の脆性ニス（脆性ビヒクル）などを使用することができる。
【００３０】
図５（ｄ）は、第１シートＡと第２シートＢが両者の裏面ＡIIとＢIIにて、第２シートＢの裏面ＢIIに塗布形成された合成樹脂層Ｃ1 （非粘着性樹脂層）と、該合成樹脂層Ｃ1 に対して低接着性（低親和性）の低接着性樹脂層Ｃ2 （非粘着性樹脂層）と、再接着性の
粘着剤層Ｃ3 とによる粘着剤層Ｃにより接着されているものであり、第１シートＡから第２シートＢを剥離する際は、接着性樹脂層Ｃ1 と低接着性樹脂層Ｃ2 との間での層間剥離により剥離し、剥離した後は、再度接着が不可能なものである。なお、前記合成樹脂層Ｃ1 と低接着性樹脂層Ｃ2 のいずれか一方又は両方に、互いの接着力を低下させる樹脂をブレンドすることにより低接着性を発現させることができる。
【００３１】
図６（ａ）〜（ｇ）は、本発明の情報隠蔽用郵送書類の第２シートＢの裏面ＢIIに、粘着剤層Ｃをパターン状に塗布形成される場合の粘着剤層Ｃの各種形成パターンを示すものである。
【００３２】
（ａ）は、粘着剤層Ｃを、第２シートＢの裏面ＢIIの外縁部に沿って折目Ｅ以外の部分にコの字線パターン状に設け、そのコの字線パターン内に斜めにストライプパターン状に設けたものである。（ｂ）は、粘着剤層Ｃを、第２シートＢの裏面ＢIIの外縁部に沿って折目Ｅ部分を含めて四角形線パターン状に設け、該四角形線パターン内に縦にストライプパターン状に設けたものである。（ｃ）は、粘着剤層Ｃを、第２シートＢの裏面ＢIIの外縁部に沿って折目Ｅ以外の部分にコの字線パターン状に設け、該四角形線パターン内に横にストライプパターン状に設けたものである。
【００３３】
（ｄ）は、粘着剤層Ｃを、第２シートＢの裏面ＢIIの外縁部に沿って折目Ｅ以外の部分にコの字線パターン状に設け、そのコの字線パターン内に枡目線パターン状に設けたものである。（ｅ）は、粘着剤層Ｃを、第２シートＢの裏面ＢIIの外縁部に沿って折目Ｅ以外の部分にコの字線パターン状に設け、そのコの字線パターン内にハーフトーン（網目）の枡目線パターン状に設けたものである。（ｆ）、（ｇ）は、粘着剤層Ｃを、第２シートＢの裏面ＢIIの外縁部に沿って折目Ｅ以外の部分にコの字線パターン状に設け、そのコの字線パターン内に市松模様状に設けたものである。
【図面の簡単な説明】
【００３４】
【図１】本発明の情報隠蔽用郵送書類の表面を説明する平面図。
【図２】本発明の情報隠蔽用郵送書類の裏面及びその裏面にセパレータが貼着された状態を説明する平面図。
【図３】本発明の情報隠蔽用郵送書類の裏面及びその裏面のセパレータを剥離した状態を説明する平面図。
【図４】（ａ）〜（ｃ）は本発明の情報隠蔽用郵送書類及びその使用方法を説明する側面図。
【図５】（ａ）〜（ｄ）は、本発明の情報隠蔽用郵送書類において、第１シートと第２シートを接着するために第２シート裏面に形成される粘着剤層の各種積層構造の例を説明する部分側断面図。
【図６】本発明の情報隠蔽用郵送書類における粘着剤層Ｃの各種形成パターンの平面図。
【符号の説明】
【００３５】
Ａ…第１シート
ＡI …第１シート表面
ＡII…第１シート裏面
Ｂ…第２シート
ＢI …第２シート表面
ＢII…第２シート裏面
Ｃ…粘着剤層
Ｄ…セパレータ（剥離紙）
Ｅ…折目（ミシン目）
【図１】
2008006585.tif 000003
【図２】
2008006585.tif 000004
【図３】
2008006585.tif 000005
【図４】
2008006585.tif 000006
【図５】
2008006585.tif 000007
【図６】
2008006585.tif 000008